(57)【要約】      （修正有）【課題】第１の収納部の全てが満杯になっても、装置の稼働を停止することなく、記録媒体の記録を続行する。【解決手段】判定部１０３は、昇降ラック６８が満杯になったか否かを判定する。搬送制御部１０４は、判定部１０３により昇降ラック６８が満杯になったと判定された場合、駆動モータを駆動させて可動基台６４０をスライドさせて、大量ストッカを枚葉搬送ユニット６１の写真排出口の前方に位置決めさせる。これにより、プリンタ部４０から出力された写真は、枚葉搬送ユニット６１を経て大量ストッカに収納される。【選択図】図１３
2011001168.tif 000002
【特許請求の範囲】
【請求項１】
画像が記録された記録媒体を客に受け渡す受渡装置であって、
客からオーダーされた画像の画像データとオーダーの内容とを示すオーダー情報を取得する取得部と、
前記取得部により取得されたオーダー情報に基づいて、オーダー単位で前記記録媒体に画像を記録する記録部と、
前記記録部から出力された記録媒体をオーダー単位で区分けして収納する複数の第１の収納部と、
前記記録部から出力された記録媒体を積層して収納する第２の収納部と、
前記記録部により画像が記録された記録媒体を前記第１の収納部又は前記第２の収納部に搬送する搬送部と、
前記第１の収納部の全てが満杯になったか否かを判定する判定部と、
前記判定部により前記第１の収納部の全てが満杯になったと判定された場合、前記搬送部による写真の搬送先を前記第１の収納部から前記第２の収納部に切り替える搬送制御部とを備えることを特徴とする受渡装置。
【請求項２】
前記記録媒体はプリントペーパーであり、
前記記録部はプリントペーパーに画像を印刷することで写真を生成し、
前記搬送制御部が前記写真を前記第２の収納部に搬送させている場合、各オーダーの最後の写真の次に、オーダーの区切りを示す情報がプリントペーパーに印刷されるように、前記記録部を制御する記録制御部を更に備えることを特徴とする請求項１記載の受渡装置。
【請求項３】
前記判定部は、前記第２の収納部が満杯になったか否かを判定し、
前記記録制御部は、前記判定部により前記第２の収納部が満杯になったと判定された場合、前記第２の収納部に収納される最後のオーダーの記録媒体が収納された後に、前記第２の収納部に収納された全てのオーダーに関する情報がプリントペーパー上に印刷されるべく、前記記録部を制御することを特徴とする請求項１又は２記載の受渡装置。
【発明の詳細な説明】
【技術分野】
【０００１】
本発明は、画像を記録する記録媒体をユーザに受け渡す受渡装置に関するものである。
【背景技術】
【０００２】
近年、スーパーマーケットなどの大規模商業施設の一角に設けられた写真現像店には、客が注文した写真を、自動的に客に受け渡すことができる受渡装置が設置されている。このような受渡装置によれば、客は、写真を引き取りに写真現像店に来店したとき、受渡装置に対して所定の操作を行うことで、店員に声をかけることなく、自身が注文した写真を受け取ることができる。
【０００３】
本出願に関連する技術として、特許文献１及び２が公知である。特許文献１では、空きカセットがない場合に新たな注文を受信した場合、所定の条件に従って選択されたカセット内に収納された写真を回収ボックスに回収してカセットを空にし、新たなプリント注文に応じてプリントされた写真を、空にしたカセットに収納するネットプリントステーションが開示されている。
【０００４】
特許文献２では、プリント完成品２９が集積される箱複数の箱と、プリント完成品を箱に導くシュートと、シュートの排出口の前方に、箱を移動させて箱内にプリント完成品を収納させるモータとを備える仕分け装置が開示されている。
【先行技術文献】
【特許文献】
【０００５】
【特許文献１】特開２００４−２０９８６７号公報
【特許文献２】特開２００５−２７２１２３号公報
【発明の概要】
【発明が解決しようとする課題】
【０００６】
しかしながら、特許文献１では、カセットが満杯になったとき、カセットピックアップ部材によって、あるカセットに収納された写真がピックアップされて回収ボックスに移送されているため、このカセットピックアップ部材が別途必要となる。
【０００７】
また、特許文献２の装置は、単にプリント完成品をオーダーごとに自動的に仕分ける装置にすぎず、プリント完成品を収納する箱は、ベルトコンベアのように搬送されており、長時間プリント完成品を収納することは想定されていない。そのため、新たなプリント完成品を収納するべき箱が無くなるというような課題は全く想定外である。
【０００８】
本発明の目的は、第１の収納部の全てが満杯になっても、装置の稼働を停止することなく、記録媒体の記録を続行することができる受渡装置を提供することである。
【課題を解決するための手段】
【０００９】
（１）本発明の一局面による受渡装置は、画像が記録された記録媒体を客に受け渡す受渡装置であって、客からオーダーされた画像の画像データとオーダーの内容とを示すオーダー情報を取得する取得部と、前記取得部により取得されたオーダー情報に基づいて、オーダー単位で前記記録媒体に画像を記録する記録部と、前記記録部から出力された記録媒体をオーダー単位で区分けして収納する複数の第１の収納部と、前記記録部から出力された記録媒体を積層して収納する第２の収納部と、前記記録部により画像が記録された記録媒体を前記第１の収納部又は前記第２の収納部に搬送する搬送部と、前記第１の収納部の全てが満杯になったか否かを判定する判定部と、前記判定部により前記第１の収納部の全てが満杯になったと判定された場合、前記搬送部による写真の搬送先を前記第１の収納部から前記第２の収納部に切り替える搬送制御部とを備えることを特徴とする。
【００１０】
この構成によれば、第１の収納部の全てが満杯になった場合、写真の搬送先が第１の収納部から第２の収納部に切り替えられ、記録部から出力された記録媒体が第２の収納部に収納される。
【００１１】
そのため、第１の収納部の全てが満杯になっても、稼働を停止することなく記録部による記録媒体の記録を続行することができる。
【００１２】
（２）また、上記受渡装置において、前記記録媒体はプリントペーパーであり、前記記録部はプリントペーパーに画像を印刷することで写真を生成し、前記搬送制御部が前記写真を前記第２の収納部に搬送させている場合、各オーダーの最後の写真の次に、オーダーの区切りを示す情報がプリントペーパーに印刷されるように、前記記録部を制御する記録制御部を更に備えることが好ましい。
【００１３】
この構成によれば、第２の収納部において積層して収納される写真には、オーダーの境目で、オーダーの区切りを示す情報が記録されたプリントペーパーが挿入されるため、第２の収納部から写真をオーダー別に仕分けて回収するオペレータの作業の容易化を図ることができる。
【００１４】
（３）また、上記受渡装置において、前記判定部は、前記第２の収納部が満杯になったか否かを判定し、前記記録制御部は、前記判定部により前記第２の収納部が満杯になったと判定された場合、前記第２の収納部に収納される最後のオーダーの記録媒体が収納された後に、前記第２の収納部に収納された全てのオーダーに関する情報がプリントペーパー上に印刷されるべく、前記記録部を制御することが好ましい。
【００１５】
この構成によれば、第２の収納部が満杯になったとき、第２の収納部に収納された全てのオーダーに関する情報がプリントペーパーに印刷され、第２の収納部に積層される。そのため、第２の収納部の最上層には、第２の収納部に収納された全てのオーダーに関する情報が記録されたプリントペーパーが積層されるため、オペレータは、第２の収納部から写真を取り出す作業を開始する前に、第２の収納部に収納されている記録媒体の内容を把握することができる。
【発明の効果】
【００１６】
本発明によれば、第１の収納部の全てが満杯になっても、装置の稼働を停止することなく、記録媒体の記録を続行することができる。
【図面の簡単な説明】
【００１７】
【図１】写真プリントシステムの概略構成図である。
【図２】受付装置の概略構成図である。
【図３】受渡装置の概略構成図である。
【図４】プリンタ部内部の概略構成図である。
【図５】枚葉搬送ユニットから排出された後に写真を受渡装置内で蓄積保管するために用いられる各構成の受渡装置の幅方向の位置関係を概略的に表す斜視図である。
【図６】枚葉搬送ユニットから排出された直後に写真を集積する昇降ユニットの駆動系を概略的に示す図である。
【図７】昇降ユニットを受渡装置の幅方向に動作させるための駆動系の概略図である。
【図８】整頓板の駆動系を示す図である。
【図９】整頓板を受渡装置の幅方向に動作させるための駆動系の概略図を示す図である。
【図１０】投入ユニットの概略構造を示す図である。
【図１１】昇降ラック並びにその駆動構造の概略を示す図である。
【図１２】押出ユニットの概略構成図である。
【図１３】本発明の実施の形態による受渡装置の電気的な構成を示すブロック図である。
【図１４】棚管理テーブルの一例を示した図である。
【図１５】受渡装置の動作を示すフローチャートである。
【発明を実施するための形態】
【００１８】
以下、本発明の一実施の形態に係る受渡装置について図面を参照して説明する。本実施の形態では、本発明の一実施の形態に係る受渡装置が適用される一例として、写真プリントシステムを例示す。したがって、下記の説明では、記録媒体として写真を採用するが、これに限定されず、ＣＤ−ＲＯＭ、ＤＶＤ−ＲＯＭ、メモリスティック等の記録媒体を採用してもよい。
【００１９】
図１は、写真プリントシステム１の概略構成図である。図１に示すように、写真プリントシステム１は、受渡装置３０、受付装置１０、及び情報処理装置２０から構成される。
【００２０】
受付装置１０は、客からの画像印刷のオーダー（注文）を受け付ける専用の装置である。情報処理装置２０は、受付装置１０で受け付けたオーダー対象となる画像の画像データとオーダーの内容とを示すオーダー情報を受渡装置３０に伝送する装置である。受渡装置３０は、情報処理装置２０から伝送されたオーダー情報に基づいて、このオーダー情報に含まれる画像データをプリント処理して写真を生成するとともに、生成された写真を客に自動的に受け渡す装置である。受付装置１０、情報処理装置２０及び受渡装置３０は、例えば、ＬＡＮを介して通信可能に接続される。
【００２１】
図２は、受付装置１０の概略構成図である。受付装置１０は、例えば、ＣＰＵにより構成されるとともに受付装置１０の全体の制御を司る制御部１４、ディスプレイ１１、メディアドライブ１２、コネクタ１３、及び受付証プリンタ１５を備える。
【００２２】
メディアドライブ１２は、メディアＭから画像データを取得する。メディアＭとしては、コンパクトフラッシュ（登録商標）、ＳＤメモリカード（登録商標）及びメモリースティック（登録商標）等の半導体メディアＭＳや、コンパクトディスク、ＣＤ−Ｒ（ＣＤ−Ｒｅｃｏｒｄａｂｌｅ）、ＭＯ（Ｍａｇｎｅｔ  Ｏｐｔｉｃａｌ  Ｄｉｓｋ）等のディスク状メディアＭｄを採用することができる。メディアドライブ１２は、これらのメディアＭのそれぞれに対応するメディアドライブから構成される。
【００２３】
コネクタ１３は、カメラ付き携帯電話機Ｔを接続するためのコネクタであり、携帯電話機Ｔで撮影された画像データを取得する。これらメディアＭ及び携帯電話機Ｔを用いて取得された各画像データは制御部１４に入力される。
【００２４】
ディスプレイ１１は、例えば、表示面にタッチパネルが形成された液晶式の表示装置により構成されている。ディスプレイ１１には、制御部１４に入力されたメディアＭ及び携帯電話機Ｔから取得された画像データが表示される。顧客は、ディスプレイ１１上の表示を確認ながらディスプレイ１１を操作することで、プリントする画像データ、所望のプリント枚数及び所望のプリントサイズを指定し、写真プリントをオーダーする。
【００２５】
制御部１４は、ディスプレイ１１の操作に応じてオーダーを受け付ける。制御部１４は、オーダーを受け付けると、オーダー番号を決定するとともに、指定された画像データ、プリント枚数及びプリントサイズを含むオーダー情報を情報処理装置２０に送信する。
【００２６】
受付証プリンタ１５は、オーダーを受け付けたことを証明するための受付証Ｖを発行する。受付証プリンタ１５は、オーダーを受け付けると、制御部１４からの信号に基づき受付証Ｖを発行する。受付証Ｖには、オーダー番号を示すバーコードがプリントされる。
【００２７】
再度、図１を参照する。情報処理装置２０は、処理装置２４及びフィルムスキャナ２２を備える。
【００２８】
処理装置２４は、受渡装置３０を制御し、受付装置１０から送信されたオーダー情報に基づきプリント処理を実現する。尚、処理装置２４は、例えば、汎用コンピュータで構成することができる。処理装置２４は、受付装置１０から送信されたオーダー情報に含まれる画像データに対して、必要に応じて補正処理を行うとともに、ＣＤやＭＯやＦＤ等のディスク状メディアＭｄ或いは半導体メディアＭｓの各構造に対応して、メディアドライブ２７にセットされたディスク状メディアＭｄ又は半導体メディアＭｓに、画像データを保存して電子アルバムを作成する。
【００２９】
情報処理装置２０は、メディアＭ等からの画像の他、写真フィルムＦの画像もプリントすることができるように構成される。フィルムスキャナ２２は、写真フィルムＦのコマ画像を光電変換によりデジタル信号化するための装置であり、処理装置２４にはフィルムスキャナ２２を用いて画像データとして取り込まれたコマ画像が伝送される。
【００３０】
ここで、図１及び図３を参照する。図３は、受渡装置３０の概略構成図である。受渡装置３０は、前面にドア部３４を備えた筐体３２と、筐体３２内に収容されるプリンタ部４０（記録部の一例）と、切り屑回収箱５０と、受渡部６０とを備える。
【００３１】
ドア部３４には、受付証Ｖにプリントされたバーコードを読み取るためのバーコードリーダ３６が設けられている。また、ドア部３４には、筐体３２内から排出された写真を顧客に受け渡すための写真排出部３７が設けられる。
【００３２】
受渡装置３０は、バーコードリーダ３６を用いて、オーダー番号を示すバーコードが読み取られると、オーダー番号に対応した写真を写真排出部３７に排出し、顧客が指定した写真を受け取ることが可能となる。
【００３３】
プリンタ部４０は、処理装置２４による制御の下、処理装置２４から伝送された画像データをプリントペーパーにプリントし、指定されたプリントサイズの写真を指定されたプリント枚数生成する。
【００３４】
受渡部６０は、プリンタ部４０で生成された写真をオーダー番号毎に集積するとともに、オーダー番号に対応した写真を写真排出部３７に排出する。切り屑回収箱５０は、プリンタ部４０で生成される切り屑を貯留する。
【００３５】
図３及び図４を参照する。図４は、プリンタ部４０内部の概略構成図である。プリンタ部４０は、筐体４１と、外付マガジン４２ａと、手差しプレート４２ｃを備える。筐体４１の内側には、内蔵マガジン４２ｂと、プリンタ本体４４と、カッター４５と、乾燥装置４６と、複数のローラー（搬送部）４７とが設けられている。
【００３６】
外付マガジン４２ａは、筐体４１の前方下部に配置されるとともに、筐体４１の前面に連結される。筐体４１の後面には、筐体４１の内外を連通させる排出口４９が開口している。
【００３７】
外付マガジン４２ａ及び内蔵マガジン４２ｂは、それぞれ内側にプリントペーパーＰ１，Ｐ２を収容する部分である。これらマガジン４２ａ、４２ｂには、プリントペーパーＰ１，Ｐ２がそれぞれ巻き芯４３ａ、４３ｂの周囲にロール状に巻かれた状態で収容される。プリントペーパーＰ１，Ｐ２のうち一方は、予備用であり、他方のプリントペーパーＰ１、Ｐ２がなくなると使用される。内蔵マガジン４２ｂは、筐体４１の前側下部に配置されている。
【００３８】
ローラー４７は、プリントペーパーＰ１，Ｐ２を各マガジン４２ａ、４２ｂから排出口４９に向かって搬送する役割を担う。これらローラー４７は、モータ等の駆動手段（図示せず）により回転駆動され、プリントペーパーＰ１，Ｐ２を各マガジン４２ａ、４２ｂからそれぞれ上方に引き出した後、排出口４９に向かって略水平に搬送する。また、これらローラー４７は、プリントペーパーＰ３を手差しプレート４２ｃから排出口４９に向かって略水平に搬送する。
【００３９】
プリンタ本体４４は、プリントペーパーＰ１，Ｐ２にプリント処理を行なう。また、プリンタ本体４４は、ローラー４７により搬送されたプリントペーパーＰ１，Ｐ２に画像データを印刷する。
【００４０】
プリンタ本体４４は、プリントペーパーＰ１，Ｐ２の搬送経路上であって、各マガジン４２ａ、４２ｂよりも搬送方向下流側に設けられている。なお、プリンタ本体４４としては、例えば、インクジェット式プリント機構を採用することができる。
【００４１】
プリンタ本体４４は、プリントペーパーＰ１，Ｐ２の表面のうち指定されたプリントサイズに応じたプリント対象領域にプリンタヘッドからインクを飛散付着させることでプリント処理を行う。
【００４２】
カッター４５は、プリントペーパーＰ１，Ｐ２のうちプリント対象領域の周囲の不要部分を切断して、指定されたプリントサイズの写真を生成する。このカッター４５は、プリントペーパーＰ１，Ｐ２を上下に挟む二枚のカッター刃４５ａ、４５ｂを備え、これらカッター刃４５ａ、４５ｂの間の位置にプリント対象領域の上流端及び下流端が搬送されると、上下方向に摺動してこの上下流端を切断する。この切断により、プリントペーパーＰ１、Ｐ２は、プリント対象領域からなる写真と、それ以外の不要部分とに分断される。
【００４３】
切り屑回収箱５０は、切り屑をその内側に貯留する。この切り屑回収箱５０は、カッター４５の下方から枚葉搬送ユニット６１のリバース部６２の下端部まで延びる箱状部材であり、上方の開口部分から切り屑が投入される。
【００４４】
乾燥装置４６は、プリントペーパーＰ１、Ｐ２に付着したインクの乾燥を促進する。乾燥装置４６は、カッター４５の搬送方向下流側に設けられ、カッター４５を通過したプリントペーパーＰ１、Ｐ２、すなわち写真に乾燥風Ｗを吹き付けて、この写真に付着したインクの乾燥を促進する。
【００４５】
このようにして、プリンタ部４０にて所定の画像データがプリントされた所定サイズの写真は、排出口４９から受渡部６０側に搬送される。
【００４６】
なお、プリンタ部４０には、手差しプレート４２ｃが設けられている。この手差しプレート４２ｃは、オペレータ等によりプリントペーパーＰ３が挿入される部分である。この手差しプレート４２ｃには、例えば、各マガジン４２ａ、４２ｂに収容されているプリントペーパーＰ１、Ｐ２とは異なるサイズのプリントペーパーＰ３が挿入される。そして、指定されたプリントサイズに応じて、この手差しプレート４２ｃに挿入されたプリントペーパーＰ３に対して、プリンタ本体４４を用いて、プリントペーパーＰ１、Ｐ２と同様のプリント処理が施される。
【００４７】
図３を再度参照する。受渡部６０は、枚葉搬送ユニット６１（搬送部の一例）と、大量ストッカ６４と（第２の収納部の一例）、昇降ユニット６５（搬送部の一例）と、投入ユニット６６（搬送部の一例）と、押出ユニット６７と、昇降ラック６８とを備える。
【００４８】
枚葉搬送ユニット６１は、プリンタ部４０の排出口４９から排出された写真を、プリンタ部４０の上方に設けられた昇降ユニット６５に搬送する。枚葉搬送ユニット６１は、プリンタ部４０の筐体４１の後面に接続されるとともに、排出口４９近傍から昇降板６５ａ、６５ｂに向かって上下方向に伸びる形状をなす。枚葉搬送ユニット６１は、排出口４９近傍から昇降板６５に向かって上下方向に伸びる搬送経路に沿って複数のローラー６１ａを有する。これらローラー６１ａの回転駆動に伴い、写真が上方に搬送される。
【００４９】
本実施形態では、枚葉搬送ユニット６１のローラー６１ａは下側のローラー６１ａほど前側に配置されており、これらローラー６１ａに沿う搬送経路が排出口４９に向かうほど前方に傾斜するよう構成されている。そのため、枚葉搬送ユニット６１が傾斜しない場合に比べて、枚葉搬送ユニット６１の前方に接続されるプリンタ部４０を前側に位置させることができ、ドア部３４側からのプリンタ部４０の取り出しが容易になっている。
【００５０】
枚葉搬送ユニット６１の下部には、リバース部６２が設けられる。リバース部６２は、写真を一端下方に搬送した後、写真の姿勢を保ったまま上方にスイッチバック搬送する部分である。枚葉搬送ユニット６１では、排出口４９から後方に排出された写真を上方に案内した後、その上端において再度前方に案内する。尚、このようなスイッチバック搬送機構を備えない場合（単に写真を後方、上方、前方の順に搬送する機構を用いた場合）は、写真の表裏が反転してしまい、排出口４９において上面であったインクが付着したプリント面が昇降ユニット６５において下を向くこととなる。
【００５１】
本実施の形態では、リバース部６２によって、写真を一端下方に搬送した後、その姿勢を保ったまま上方に搬送することで、昇降ユニット６５においてプリント面が上側になるようにしている。
【００５２】
リバース部６２は、写真を上下方向に案内する複数のローラー６２ａを有する。これらローラー６２ａは、回転駆動装置（図示せず）で回転駆動されるとともに、その回転方向が切換え可能とされている。この回転駆動装置は、これらローラー６２ａを正回転させて写真を一端下方に搬送させた後、ローラー６２ａを逆回転させて写真の表裏を反転させた上で上方に搬送する。
【００５３】
図５は、枚葉搬送ユニット６１から排出された後に写真を受渡装置３０内で蓄積保管するために用いられる各構成の受渡装置３０の幅方向の位置関係を概略的に表す斜視図である。図６は、枚葉搬送ユニット６１から排出された直後に写真を集積する昇降ユニット６５の駆動系を概略的に示す図である。ここで、図３と併せて、図５及び図６を参照する。
【００５４】
昇降ユニット６５は、枚葉搬送ユニット６１により搬送された各写真を整頓しつつ集積する。昇降ユニット６５は、水平方向に受渡装置３０の正面側から背面側に延びる略断面Ｌ字型の昇降板（支持面）６５ａ、６５ｂを有する。昇降板６５ａ、６５ｂは、昇降ブラケット６５１に接続される。昇降ブラケット６５１は、複数のローラ６５２を備え、複数のローラ６５２は、上下方向に延設するレール部材６５３を狭持する。レール部材６５３に平行に駆動ベルト６５４が配され、駆動ベルト６５４の下端は駆動モータ６５５の回転シャフトに接続され、上端は受渡装置３０の幅方向に延設するアイドルシャフト６５６に接続される。また、昇降ブラケット６５１及び昇降板６５ａ、６５ｂは、駆動ベルト６５４に接続される。駆動モータ６５５により、昇降板６５ａ、６５ｂは、枚葉搬送ユニット６１の上端とほぼ同じ高さ位置から、この上端より上方の所定位置との間で昇降駆動される。昇降板６５ａ、６５ｂの高さ位置の制御は、位置センサ（図示せず）を用いてなされる。昇降ユニット６５は、オーダー毎に写真を集積し、１つのオーダーに含まれる写真が集積されると、昇降板６５ａ、６５ｂは投入ユニット６６に向けて上昇する。
【００５５】
昇降ユニット６５は上下動に加えて、受渡装置３０の幅方向への移動が可能である。図７は、昇降ユニット６５を受渡装置３０の幅方向に動作させるための駆動系の概略図である。ここで、図７及び図５を併せて参照する。尚、図７には、後述する整頓板は示されていない。
【００５６】
昇降ユニット６５の昇降板６５ａ、６５ｂの正面側端部は、受渡装置３０の幅方向に延設するフレーム６５６上で支持される。フレーム６５６の正面側に一対のベルト６５７が配設される。ベルト６５７は、フレーム６５６の延設方向に対して平行に延びる。図７に示す例において、一対のベルト６５７のうち上側に配設されるベルト６５７ａは、昇降板６５ａに接続され、下側に配設されるベルト６５７ｂは、昇降板６５ｂに接続される。上方に位置するベルト６５７ａの右端は、駆動モータ６５８ａに接続され、左端はアイドラシャフト６５９ａに接続される。また、下方に位置するベルト６５７ｂの左端は、駆動モータ６５８ｂに接続され、右端はアイドラシャフト６５９ｂに接続される。昇降板６５ａ、６５ｂそれぞれに独立した駆動系を設けることにより、昇降板６５ａ、６５ｂ間の間隔を好適に調整可能となり、多種の写真の幅寸法に対応可能となる。尚、昇降板６５ａ、６５ｂの位置制御は、好適な位置センサを用いて実行される。
【００５７】
図５を参照すると、一対の昇降板６５ａ、６５ｂの間で、上方に突出する整頓板６６０が示されている。図８は、整頓板６６０の駆動系を示し、昇降板６５ａ、６５ｂは省略されている。尚、図８には、写真Ｓが枚葉搬送ユニット６１から昇降ユニット６５に排出される様子も合わせて示されている。
【００５８】
図５及び図８に示す如く、整頓板６６０は、枚葉搬送ユニット６１よりも受渡装置３０の正面側に位置するとともに昇降板６５ａ、６５ｂの間に配設される。枚葉搬送ユニット６１から排出された各写真の搬送方向の下流側端縁は、一対の昇降板６５ａ、６５ｂの間で上方に立設する整頓板６６０に当接する。したがって、昇降板６５ａ、６５ｂ上の写真それぞれは、搬送方向の下流側端縁が揃った状態で積み重ねられることとなる。
【００５９】
整頓板６６０は、可動基部６６１から上方に立設されている。可動基部６６１は受渡装置３０の奥行き方向に延設するレール部材６６２に接続され、レール部材６６２に沿って移動可能である。レール部材６６２に平行にベルト６６３が併設される。可動基部６６１は、ベルト６６３に接続される。ベルト６６３の奥行き側端部は、駆動モータ６６４と接続され、ベルト６６３の正面側端部はアイドラシャフト６６５に接続される。駆動モータ６６４を作動させることにより、整頓板６６０がレール部材６６２に沿って移動することとなる。尚、整頓板６６０の位置の制御は適切な位置センサを用いて行なわれる。
【００６０】
整頓板６６０は、受渡装置３０の幅方向への移動が可能である。図９は、整頓板６６０を受渡装置３０の幅方向に動作させるための駆動系の概略図を示す。ここで、図９及び図５を併せて参照する。尚、図９には、上述の昇降ユニット６５は示されていない。
【００６１】
整頓板６６０を正面側或いは背面側に案内するレール部材６６２は、土台部６６６上に固定される。土台部６６６は、可動基台６４０上に載置固定される。図９に明瞭に示される如く、可動基台６４０上には、一対の大量ストッカ６４ａ、６４ｂが載置されている。また、可動基台６４０の底面には、ホイール６４１が配され、可動基台６４０の移動時にホイール６４１が転動する。可動基台６４０内部には、アイドラシャフト６４２が可動基台６４０とは独立に配される。アイドラシャフト６４２は、可動基台６４０の移動方向に対して直角方向に延設される。可動基台６４０の外部に駆動モータ６４３が配され、ベルト６４４が、アイドラシャフト６４２と駆動モータ６４３との間で受渡装置３０の幅方向に延設される。可動基台６４０の周壁の一部がベルト６４４の一部に接続し、駆動モータ６４３の動作により、可動基台６４０が受渡装置３０の幅方向に往復動することとなる。可動基台６４０の移動に伴い、可動基台６４０上に配設された整頓板６６０及び大量ストッカ６４ａ、６４ｂが一体的に移動することとなる。
【００６２】
整頓板６６０の幅方向の移動に起因する昇降板６５ａ、６５ｂへの干渉を防ぐために、整頓板６６０の幅方向への移動のための駆動系と、昇降板６５ａ、６５ｂの幅方向への移動のための駆動系は、互いに同期している。枚葉搬送ユニット６１から排出された写真が昇降ユニット６５上に積層される。その後、昇降ユニット６５は、受渡装置３０の幅方向に移動し、後述する投入ユニット６６直下に移動する。このとき、整頓板６６０は、昇降ユニット６５と同期して、受渡装置３０幅方向に移動する。
【００６３】
加えて、可動基台６４０を受渡装置３０の幅方向に移動可能とすることにより、昇降ユニット６５を枚葉搬送ユニット６１の写真排出口に対応するように位置させることと、大量ストッカ６４を枚葉搬送ユニット６１の写真排出口に対応するように位置させることを選択可能となる。
【００６４】
大量ストッカ６４は、昇降ラック６８が満杯になった場合に写真を貯留する。写真の枚数が多い場合には、昇降ユニット６５に代えて、この大量ストッカ６４が枚葉搬送ユニット６１と対向する位置に移動される。そして、この枚葉搬送ユニット６１により搬送された写真はこの大量ストッカ６４内に貯留されていく。この大量ストッカ６４は、オペレータ等によりドア部３４から外部に排出されて、大量ストッカ６４内に蓄えられた写真が、顧客に受け渡される。
【００６５】
図１０は、投入ユニット６６の概略構造を示す。ここで、図３と併せて、図１０を参照する。尚、図１０に示す投入ユニット６６は、後述する昇降ラック６８の収容区画に合わせて、受渡装置３０幅方向に複数並んで設置されている。
【００６６】
上述の如く、昇降ユニット６５は、受渡装置３０の幅方向に移動し、投入ユニット６６の直下に位置づけられた後、投入ユニット６６に向けて上昇する。図１０には、上昇位置にある昇降ユニット６５の昇降板６５ａ並びに昇降ユニット６５上に積み重ねられた写真Ｓが示されている。
【００６７】
投入ユニット６６は、受渡装置３０の正面側から背面側へ向けて延設されるフレーム６６７と、フレーム６６７の奥行き側端部に固定されたモータ６６８と、フレーム６６７の正面側端部に固定されたアイドラシャフト６６９と、モータ６６８とアイドラシャフト６６９との間で延設されるベルト６７０と、ベルト６７０に固定される投入板６６ａとを備えている。投入板６６ａは、上昇位置にある昇降ユニット６５の一対の昇降板６５ａ、６５ｂの間に位置する。モータ６６９の作動により、一対の昇降板６５ａ、６５ｂの間の直線状の空間に沿って、投入板６６ａが移動し、昇降ユニット６５上に積み重ねられた写真Ｓを正面方向に押し出す。この結果、投入ユニット６６の正面側に位置する昇降ラック６８に写真Ｓが投入されることとなる。尚、昇降板６５ａ、６５ｂは、上述の如く、断面Ｌ字状に形成されるとともに写真寸法に合わせて昇降板６５ａ、６５ｂの間隔が調整可能であるので、昇降板６５ａ、６５ｂは、昇降ラック６８に向けて移動する写真Ｓを適切に案内することができる。
【００６８】
図１１は、昇降ラック６８並びにその駆動構造の概略を示す。図１１には、全体として略直方体形状をなす２つの昇降ラック６８が示されている。図１１中、左方に示される昇降ラック６８Ａは、昇降ラック６８Ａ内部で上下方向に延設する仕切板６８０を備え、２つの収容区画６８１、６８２を備えている。なお、１つの収容区画が第１の収納部の一例に相当する。また、図１１中、右方に配される昇降ラック６８Ｂは、１つの収容区画６８３を備える。図１１に示す昇降ラック６８のシステムを用いた場合、３つの投入ユニット６６が、受渡装置３０内に設置されることとなる。各収容区画６８１，６８２，６８３において、複数の棚板６８４が上下方向に連設して配される。これにより、各収容区画６８１，６８２，６８３には、複数の貯留室６８ａが形成されることとなる。投入ユニット６６により押し出された写真束は、貯留室６８ａ内に収容されることとなる。
【００６９】
図１１に示す昇降ラック６８の駆動系の下部に駆動モータ６７１が配設される。減速機構６７２が駆動モータ６７１に接続される。駆動シャフト６７３は、減速機構６７２を介して、受渡装置３０幅方向に延設される。駆動シャフト６７３の両端には、駆動プーリ６７４が固定される。
【００７０】
図１１に示す昇降ラック６８の駆動系の上部にアイドラシャフト６７５が配される。アイドラシャフト６７５は、駆動シャフト６７３の直上に位置し、駆動シャフト６７３に対して平行に延設される。アイドラシャフト６７５両端に支持プーリ６７６が取り付けられる。駆動プーリ６７４と支持プーリ６７６の間でベルト６７７Ａ、６７７Ｂが延設され、駆動プーリ６７４と支持プーリ６７６を巻回する。図１１において、左方に位置するベルト６７７Ａに昇降ラック６８Ａが接続され、右方に位置するベルト６７８Ｂに昇降ラック６８Ｂが接続され、一対の昇降ラック６８のうち一方が上昇動作するとき、他方が下降動作をするように構成している。
【００７１】
駆動シャフト６７３並びにアイドラシャフト６７５の中間位置において、中間ベルト６７７Ｃが配される。中間ベルト６７７Ｃは、ベルト６７７Ａ、６７７Ｂと同様に、駆動シャフト６７３とアイドラシャフト６７５とに接続される。中間ベルト６７７Ｃは、一対のベルト帯となって、一対の昇降ラック６８の間で上下に延設される。中間ベルトのベルト帯のうち一方のベルト帯には、昇降ラック６８Ａが接続され、他方のベルト帯には、昇降ラック６８Ｂが接続される。これにより、駆動モータ６７１からの駆動力が昇降ラック６８の両側面から伝達することになり、安定的に昇降ラック６８を上下動させることが可能となる。尚、昇降ラック６８の側面にレール機構を配し、レール機構を用いて、昇降ラック６８を案内することが好ましい。
【００７２】
昇降ユニット６５が写真を集積した状態で上昇すると、写真がまだ貯留されていない空き貯留室６８ａがこの昇降ユニット６５の上端位置付近に配置されるように、昇降ラック６８が昇降する。そして、投入ユニット６６により写真が投入されることで、これら写真が貯留室６８ａ内側に貯留される。このとき、いずれの貯留室６８ａにいずれのオーダーの写真が貯留されたかは、処理装置２４に記憶される。
【００７３】
そして、昇降ラック６８は、バーコードリーダ３６にて受付証Ｖのバーコードが読み取られると、このバーコードが示すオーダー番号に応じた貯留室６８ａが写真排出部３７の位置に配置されるよう昇降する。
【００７４】
図１２は、押出ユニット６７の概略構成図である。図３に示す如く、押出ユニット６７は、各投入ユニット６６の上方に位置し、昇降ラック６８の各貯留室６８ａ内に貯留されている写真を、貯留室６８ａから写真排出部３７に押出す役割を担う。
【００７５】
押出ユニット６７は、投入ユニット６６上方で固定された基台６９１を備える。基台６９１は、受渡装置３０の正面側から背面側に向けて延設され、基台６９１の両端に上方に突出する支持ブラケット６９２を備える。基台６９１の奥行き側端部に位置する支持ブラケット６９２を介して、駆動モータ６９３が基台６９１上に固定され、正面側端部に位置する支持ブラケット６９２を介して、アイドラシャフト６９４が基台６９１上に固定される。駆動モータ６９３とアイドラシャフト６９４との間で、ベルト６９５が延設される。ベルト６９５には、棒状のアーム部材６９６が取り付けられ、アーム部材６９６は、ベルト６９５との接続部を基端として、受渡装置３０正面方向に延設される。図１２中、実線で表す状態は、アーム部材６９６が、これ以上、受渡装置３０背面側に移動しないホームポジションにある状態であるが、アーム部材６９６は、基台６９１の正面側端部を越えて延設している。アーム部材６９６の先端部には、押出板６７ａが取り付けられる。
【００７６】
駆動モータ６９３を駆動させることにより、押出板６７ａは、昇降ラック６８に形成された貯留室６８ａ内に進入する。これにより、押出板６７ａは、バーコードが読み取られた後、オーダー番号に応じた貯留室６８ａが写真排出部３７の位置に配置されると、前方にスライド移動してその前面で貯留室６８ａ内の写真を写真排出部３７に押出すこととなる。なお、写真排出部３７と昇降ラック６８との間にはシャッター６９が設けられている。このシャッター６９は、押出ユニット６７が写真を写真排出部３７に押出す時点で開き、写真の写真排出部３７側への移動を許容する。
【００７７】
図１３は、本発明の実施の形態による受渡装置３０の電気的な構成を示すブロック図である。図１３に示すように受渡装置３０は、昇降ユニット６５、可動基台６４０、昇降ラック６８、プリンタ部４０、枚葉搬送ユニット６１、バーコードリーダ３６、投入ユニット６６、押出ユニット６７、制御部１００、管理情報記憶部１１１、通信部１１２、及び表示部１１３を備えている。なお、図１３では、本発明の主要部となる電気的構成のみが示されている。
【００７８】
昇降ユニット６５〜押出ユニット６７は、上述したため、制御部１００等の他の部について説明する。制御部１００は、例えばＣＰＵ、ＲＯＭ、ＲＡＭ、及び専用のハードウェア回路等から構成され、取得部１０１、オーダー情報管理部１０２、判定部１０３、搬送制御部１０４、印刷制御部１０５（記録制御部の一例）、受渡制御部１０６、及び報知制御部１０７を備えている。
【００７９】
取得部１０１は、客からオーダーされた画像の画像データとオーダーの内容とを示すオーダー情報を取得する。本実施の形態では、取得部１０１は、通信部１１２が、情報処理装置２０から送信されたオーダー情報を受信することでオーダー情報を取得する。
【００８０】
オーダー情報管理部１０２は、取得部１０１によりオーダー情報が取得され、当該オーダー情報の写真の印刷が印刷制御部１０５により開始されると、当該オーダー情報における写真を収納する棚板６８４を決定し、当該オーダー情報のオーダー番号と棚番号とが対応付けられた棚管理テーブルを作成し、管理情報記憶部１１１に記憶させる。
【００８１】
図１４は、棚管理テーブルの一例を示した図である。図１４に示すように、棚管理テーブルは、棚番号、オーダー番号の欄を備えている。棚番号の欄には、棚板６８４に対して予め一意に付与された棚番号が格納されている。オーダー番号の欄には、各棚番号に対応付けられたオーダー番号が格納されている。なお、図１４において、棚Ｎｏが３の棚板６８４は空と記載され、この棚板６８４には、写真が収納されていない。
【００８２】
判定部１０３は、昇降ラック６８が満杯になったか否かを判定する。ここで、判定部１０３は、棚管理テーブルを参照し、オーダーＮｏに空と記載されている棚板６８４が存在しない場合、昇降ラック６８が満杯になったと判定すればよい。
【００８３】
また、判定部１０３は、大量ストッカ６４が満杯になったか否かを更に判定する。ここで、判定部１０３は、大量ストッカ６４に収納された写真の枚数をカウントし、カウント値が、大量ストッカ６４の満杯を示す所定の値以上となった場合、大量ストッカ６４が満杯になったと判定すればよい。
【００８４】
搬送制御部１０４は、判定部１０３により昇降ラック６８が満杯になったと判定された場合、図９に示す駆動モータ６４３を駆動させることで、プリンタ部４０から出力される写真の搬送先を昇降ラック６８から大量ストッカ６４に切り替える。
【００８５】
具体的には、搬送制御部１０４は、駆動モータ６４３を駆動させて可動基台６４０をスライドさせて、大量ストッカ６４を枚葉搬送ユニット６１の写真排出口の前方に位置決めさせる。
【００８６】
これにより、プリンタ部４０から出力された写真は、枚葉搬送ユニット６１を経て大量ストッカ６４に収納される。
【００８７】
一方、搬送制御部１０４は、写真の搬送先を昇降ラック６８に切り替える場合は、駆動モータ６４３を駆動させて可動基台６４０をスライドさせて、昇降板６５ａ，６５ｂを枚葉搬送ユニット６１の写真排出口の前方に位置決めさせる。
【００８８】
これにより、プリンタ部４０から出力された写真は、枚葉搬送ユニット６１、昇降ユニット６５を経て、投入ユニット６６に押し出され、昇降ラック６８に収納される。
【００８９】
なお、昇降ラック６８が写真の搬送先となる場合、搬送制御部１０４は、下記のように各装置を制御する。まず、枚葉搬送ユニット６１を駆動させ、プリンタ部４０から出力された写真を１枚ずつ、昇降ユニット６５に搬送させる。そして、昇降ユニット６５の昇降板６５ａ、６５ｂに１オーダー分の写真が積層されると、昇降ユニット６５を投入ユニット６６前方の所定の投入位置まで上昇させる。
【００９０】
そして、昇降ラック６８を駆動させ、オーダー情報管理部１０２により特定された、写真の収納対象となる棚板６８４を投入ユニット６６の前方の所定の投入位置に位置決めさせる。そして、投入ユニット６６を駆動させ、投入位置に位置決めされた棚板６８４に、昇降板６５ａ、６５ｂに載置された１オーダー分の写真を収納させる。
【００９１】
また、大量ストッカ６４が写真の搬送先となる場合、搬送制御部１０４は、枚葉搬送ユニット６１を作動させ、プリンタ部４０から出力された写真を１枚ずつ、大量ストッカ６４に搬送させ、写真を順次に大量ストッカ６４に収納させる。
【００９２】
印刷制御部１０５は、写真の搬送先が昇降ラック６８である場合、各オーダーの最後の写真の次に、オーダーの区切りを示す情報がプリントペーパーに印刷されるように、プリンタ部４０を制御する。
【００９３】
ここで、オーダーの区切りを示す情報としては、例えば、最後の写真が属するオーダーを識別するためのオーダー識別情報であることが好ましい。オーダー識別情報としてはオーダー番号を採用することができる。この場合、プリンタ部４０は、大量ストッカ６４に収納される写真と同一サイズにプリントペーパーを裁断し、裁断したプリントペーパーに、オーダー番号を印刷し、そのプリントペーパーを排出口４９から排出する。
【００９４】
これにより、大量ストッカ６５において積層して収納される写真には、オーダーの境目で、オーダー情報が印刷されたプリントペーパーが挿入されるため、オペレータは、大量ストッカ６４から写真をオーダー別に仕分けて回収する作業を容易に行うことができる。
【００９５】
なお、オーダー情報としては、オーダー番号以外に、オーダーした客の氏名、連絡先、オーダー日時、及びオーダーに含まれる画像データのサムネイル画像等の少なくともいずれか１つを採用してもよい。
【００９６】
また、印刷制御部１０５は、判定部１０３により大量ストッカ６４が満杯になったと判定された場合、大量ストッカ６４に収納される最後のオーダーの写真が収納された後に、大量ストッカ６４に収納された全てのオーダーに関する情報がプリントペーパーに印刷されるように、プリンタ部７０を制御する。
【００９７】
なお、大量ストッカ６４に収納された全てのオーダーに関する情報と、最後のオーダーのオーダー番号とを別のプリントペーパーに印刷する態様を示したが、これに限定されず、１枚のプリントペーパーに印刷するようにしてもよい。
【００９８】
ここで、全てのオーダーに関する情報としては、例えば、大量ストッカ６４に収納された写真の全オーダーのオーダー番号を採用することができる。具体的には、大量ストッカ６４にオーダー番号が１，３，５，９の写真が収納されたとすると、プリントペーパーには、「オーダー番号：１，３，５，９」というような文字列がリスト表示される。
【００９９】
受渡制御部１０６は、客によりバーコードリーダ３６に受付証Ｖがかざされると、バーコードリーダ３６に受付証Ｖに記載されたバーコードを読み取らせることでオーダー番号を取得する。そして、受渡制御部１０６は、取得したオーダー番号の写真が収納された棚板６８４を、棚管理テーブルを参照することで特定し、特定した棚板６８４が押出ユニット６７の前方に位置決めされるように、昇降ラック６８を位置決めする。そして、受渡制御部１０６は、押出ユニット６７を駆動させて、棚板６８４に収納された写真を写真排出部３７から押し出す。
【０１００】
報知制御部１０７は、判定部１０３により大量ストッカ６４が満杯になったと判定された場合、そのことを報知するための報知画像を表示部１１３に表示させ、大量ストッカ６４が満杯であることをオペレータに報知する。
【０１０１】
管理情報記憶部１１１は、例えばＥＥＰＲＯＭ等の書き換え可能な不揮発性の記憶装置により構成され、上述した棚管理テーブルを記憶する。
【０１０２】
通信部１１２は、例えばＬＡＮの通信回路により構成され、受付装置１０及び情報処理装置２０から送信されるデータを受信して、受信したデータからＬＡＮの通信に用いられるヘッダ等を取り除き、制御部１００に渡すと共に、制御部１００から渡されたデータに必要なヘッダ等を付与し、受付装置１０及び情報処理装置２０に送信する。
【０１０３】
表示部１１３は、例えば、液晶表示装置により構成され、受渡装置３０の状態を報知するための画像や、受渡装置３０を操作するための操作画像や、上述した報知画像等を表示する。
【０１０４】
図１５は、受渡装置３０の動作を示すフローチャートである。まず、ステップＳ１において、印刷制御部１０５は、プリンタ部４０に１オーダー分の写真の印刷を開始させる。これにより、プリンタ部４０は、１オーダーを構成する所定枚数の画像データを１枚ずつプリントペーパーに印刷して写真を生成し、生成した写真を１枚ずつ排出口４９から順次に排出する。
【０１０５】
次に、現在プリンタ部４０により印刷されている現オーダーの写真の搬送先が大量ストッカ６４でない場合（ステップＳ２でＮＯ）、つまり、現オーダーの写真の搬送先が昇降ラック６８である場合、判定部１０３は、現オーダーの写真を昇降ラック６８に収納する結果、昇降ラック６８が満杯になるか否かを判定する（ステップＳ３）。
【０１０６】
そして、判定部１０３は、昇降ラック６８が満杯にならないと判定した場合（ステップＳ３でＮＯ）、つまり、昇降ラック６８に現オーダーの写真を収納しても空の棚板６８４が残る場合、搬送制御部１０４は、プリンタ部４０から出力された写真が昇降ラック６８に搬送されるように、枚葉搬送ユニット６１、昇降ユニット６５、昇降ラック６８、及び投入ユニット６６を制御する（ステップＳ４）。
【０１０７】
そして、ステップＳ４の処理が終わると、処理がステップＳ１に戻される。つまり、ステップＳ１〜Ｓ７のループが繰り返されることで、写真が昇降ラック６８に収納される。
【０１０８】
一方、ステップＳ３において、判定部１０３が、現オーダーの写真を棚板６８４に収納すると昇降ラック６８が満杯になると判定した場合（ステップＳ３でＹＥＳ）、搬送制御部１０４は、現オーダーの写真の昇降ラック６８への搬送が終了すると、枚葉搬送ユニット６１の写真排出口の前方に大量ストッカ６４が位置決めされるように可動基台６４０を移動させ、写真の搬送先を昇降ラック６８から大量ストッカ６４に切り替える（ステップＳ５）。
【０１０９】
そして、ステップＳ５の処理が終了すると、処理がステップＳ１に戻される。これにより、次オーダーの写真の搬送先が大量ストッカ６４になる。
【０１１０】
一方、ステップＳ２において、現オーダーの写真の搬送先が大量ストッカ６４である（ステップＳ２でＹＥＳ）、判定部１０３は、現オーダーの写真を大量ストッカ６４に収納すると大量ストッカ６４が満杯になるか否かを判定する（ステップＳ６）。
【０１１１】
そして、判定部１０３により、現オーダーの写真を収納しても大量ストッカ６４が満杯にならない判定された場合（ステップＳ６でＮＯ）、搬送制御部１０４は、枚葉搬送ユニット６１に、プリンタ部４０から出力された写真を大量ストッカ６４に搬送させる（ステップＳ７）。
【０１１２】
なお、１オーダー分の印刷が終了すると、印刷制御部１０５は、そのオーダーのオーダー番号がプリントペーパーに印刷されるようにプリンタ部４０を制御する。これにより、大量ストッカ６４に収納されるオーダーの境目に、直下に積層された写真が属するオーダーを示すオーダー番号が印刷されたプリントペーパーが挿入されることになる。その結果、大量ストッカ６４からオーダー毎に写真を仕分けるオペレータの作業が容易になる。
【０１１３】
ステップＳ７の処理が終了すると、処理がステップＳ１に戻される。つまり、ステップＳ１、Ｓ２、Ｓ６、Ｓ７のループが繰り返されることで、写真が大量ストッカ６４に収納される。
【０１１４】
一方、ステップＳ６において、判定部１０３により、現オーダーの写真を大量ストッカ６４に収納することで、大量ストッカ６４が満杯になると判定された場合（ステップＳ６でＹＥＳ）、印刷制御部１０５は、大量ストッカ６４に収納された写真の全てのオーダーのオーダー番号のリストがプリントペーパーに印刷されるように、プリンタ部４０を制御する（ステップＳ８）。
【０１１５】
これにより、大量ストッカ６４の最上層には、大量ストッカ６４に収納された全てのオーダーがリスト表示されたプリントペーパーが積層され、オペレータは、一目で大量ストッカ６４に収納される写真のオーダーを認識することができる。
【０１１６】
次に、報知制御部１０７は、大量ストッカ６４が満杯になったことを示す報知画像を表示部１１３に表示させ、そのことをオペレータに報知する（ステップＳ９）。
【０１１７】
次に、搬送制御部１０４は、枚葉搬送ユニット６１の排出口に昇降板６５ａ、６５ｂが位置決めされるように可動基台６４０を移動させ、写真の搬送先を大量ストッカ６４から昇降ラック６８に切り替える（ステップＳ１０）。ステップＳ１２の処理が終了すると、処理がス終了される。
【０１１８】
このように、本実施の形態による受渡装置によれば、昇降ラック６８が満杯になった場合、写真の搬送先が昇降ラック６８から大量ストッカ６４に切り替えられ、プリンタ部４０から出力された写真が大量ストッカ６４に収納される。
【０１１９】
そのため、昇降ラック６８が満杯になっても、稼働を停止することなくプリンタ部４０による写真の印刷を続行することができる。
【０１２０】
なお、上記実施の形態において、判定部１０３が、収納対象となるオーダーに含まれる写真の枚数が各棚板６８４に対して予め定められた最大収納枚数よりも多いと判定した場合、搬送制御部１０４は、当該オーダーを大量ストッカ６４に収納するようにしてもよい。
【符号の説明】
【０１２１】
３０  受渡装置
３６  バーコードリーダ
４０  プリンタ部
６０  受渡部
６１  枚葉搬送ユニット
６４  大量ストッカ
６５  昇降ユニット
６５ａ，６５ｂ  昇降板
６６  投入ユニット
６７  押出ユニット
６８  昇降ラック
７０  プリンタ部
１００  制御部
１０１  取得部
１０２  オーダー情報管理部
１０３  判定部
１０４  搬送制御部
１０５  印刷制御部
１０６  受渡制御部
１０７  報知制御部
１１１  管理情報記憶部
【図１】
2011001168.tif 000003
【図２】
2011001168.tif 000004
【図３】
2011001168.tif 000005
【図４】
2011001168.tif 000006
【図５】
2011001168.tif 000007
【図６】
2011001168.tif 000008
【図７】
2011001168.tif 000009
【図８】
2011001168.tif 000010
【図９】
2011001168.tif 000011
【図１０】
2011001168.tif 000012
【図１１】
2011001168.tif 000013
【図１２】
2011001168.tif 000014
【図１３】
2011001168.tif 000015
【図１４】
2011001168.tif 000016
【図１５】
2011001168.tif 000017